(57)【特許請求の範囲】
【請求項１】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、前記無端コンベアベルトを駆動する駆動モーターの負荷電流が定格値を超える運転状態となった場合に、コンベアケーシング内で被搬送物に冷風を吹付けて該被搬送物を冷却せしめて前記筒状トラフ内壁面での結露の生成量を抑制し前記駆動モーター電流値が定格値以下の運転状態にすることを特徴とする空気浮上式ベルトコンベア装置の運転方法。
【請求項２】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、前記無端コンベアベルトを駆動する駆動モーターの負荷電流が定格値を超える運転状態となった場合に、前記浮上用圧縮空気量を増加せしめると共に、コンベアケーシング内で被搬送物に冷風を吹付けて該被搬送物を冷却せしめて前記筒状トラフ内壁面での結露の生成量を抑制し前記駆動モーター電流値が定格値以下の運転状態にすることを特徴とする空気浮上式ベルトコンベア装置の運転方法。
【請求項３】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、前記浮上用圧縮空気量を増加せしめて、前記無端コンベアベルトを駆動する駆動モーターの負荷電流が定格値を超えることなく運転できるようにしたことを特徴とする空気浮上式ベルトコンベア装置の運転方法。
【請求項４】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、コンベアケーシング内の被搬送物に冷風を吹付けて該被搬送物を冷却して結露生成量を抑制し、前記無端コンベアベルトを駆動する駆動モーターの負荷電流値が定格値を超えることなく運転できるようにしたことを特徴とする空気浮上式ベルトコンベア装置の運転方法。
【請求項５】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、前記浮上用圧縮空気量を増加せしめると共に、コンベアケーシング内の被搬送物に冷風を吹付けて該被搬送物を冷却して結露生成量を抑制し、前記無端コンベアベルトを駆動する駆動モーターの負荷電流が定格値を超えることなく運転できるようにしたことを特徴とする空気浮上式ベルトコンベア装置の運転方法。
【請求項６】
無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内における温度および湿度から筒状トラフ内壁面での結露発生状況を予測し、前記無端コンベアベルトを駆動する駆動モーターの負荷電流が定格値を超えること予測された場合、または該駆動モーターの負荷電流が定格値を超える運転状態となった場合に、下記（１）式を満足する様に前記浮上用圧縮空気量（Ｘ）および／または筒状トラフ内壁への結露量（Ｙ）を調整して、前記駆動モーター電流値が定格値以内で運転できるようにしたことを特徴とする空気浮上式ベルトコンベア装置の運転方法。
ａＸ−ｂＹ−ｃ＞０                          ・・・・・（１）
但し、ａ，ｂ，ｃは定数
【発明の詳細な説明】
【０００１】
【発明の属する技術分野】
本発明は、圧縮空気でベルトコンベアを浮上させる方式の空気浮上式ベルトコンベア装置の運転方法に関するものである。
【０００２】
【従来の技術】
近年、例えば、火力発電所においては、石炭、石こう及び湿灰、製鉄所においては、鉄鉱石及び副原料等のバラ物（以下「被搬送物」という）を搬送する手段として空気浮上式ベルトコンベアが用いられる場合がある。この空気浮上式ベルトコンベアは、低振動、低騒音であるため、使用場所によっては有用視されている。
このような空気浮上式ベルトコンベアとしては、例えば、特開平９−１５６７３９号公報に提示されている技術がある。これは内部に搬送ベルトを有する円筒状トラフを設け、該円筒状トラフの下部の給気口から圧縮空気を供給して被搬送物を積載した前記搬送ベルトを浮上させながら搬送するものである。
【０００３】
【発明が解決しようとする課題】
上記のような空気浮上式ベルトコンベアで、被搬送物を搬送した場合に被搬送物の種類によっては、水分を含有する物質も存在し、被搬送物から搬送中に水蒸気を発生することがある。このような水蒸気を発生する物質を搬送するに当たって、例えば、搬送時期が大気温の低い冬場などにおいては、円筒状トラフの鉄皮表面温度も低下しているため、被搬送物から発生する水蒸気はトラフ鉄皮表面において過飽和とならざるを得ない状態となる。
【０００４】
円筒状トラフ内がこのような状態になった時には、円筒状トラフの内面壁に接した水蒸気は内面壁において結露し、水滴となって該内面壁を伝って下方部へ流下して行く。通常円筒状トラフの内面壁と搬送ベルトとの間隙は０．５ｍｍ程度しかなく、結露した水滴は前記トラフ内面壁と搬送ベルトの間隙内に入り込み、両者間の浮上用空気の流路間隔を狭める働きを起こす。
【０００５】
前記トラフの内面壁と搬送ベルトとの間隙を通過して排気口から排出される圧縮空気は、流れ易い個所を流れるため、水滴の流下または付着の少ない個所に集中して優先的に流れるため、吹き抜け現象が発生し搬送ベルトが振動し、この現象が極端になった場合には、搬送ベルトの下面側部が円筒状トラフの内面に接触ることになる。また、空気と水の粘度差により上記間隔を水滴が満たすことにより、急激に搬送ベルトとトラフの内面壁との摩擦係数は増大する。
【０００６】
いずれの場合においても、円筒状トラフの内面壁と搬送ベルト間の摩擦抵抗が増大するため、搬送ベルトの駆動プーリの駆動力が大幅に変動（増大）し、駆動モータの負荷が定格値を超え過負荷状態が発生して、該駆動モータが損傷する等安定した搬送を行うに当たって大きな障害となっていた。
前述した結露による水滴の発生は、特に、空気浮上式ベルトコンベアの乗継部で多く発生する傾向があり、また、円筒状トラフの温度が２０℃以下になるとこの現象が顕著に現れてくる。
【０００７】
ここで、上記したように搬送ベルトの駆動プーリの駆動力が大幅に変動し、不安定な運転状態となると、その変動状態が駆動モータの電流値の変化として現れ、定格電流を越える状態が発生する。その様子の１例（大雨時での運転）を図４に示し、これに対して安定な運転状態（通常時）での駆動モータの電流値の変化の様子の１例を図５に示す。
【０００８】
本発明は、上記従来技術の問題点に鑑み、水蒸気を発生するような被搬送物を搬送する場合においても、安定した搬送を可能とする空気浮上式ベルトコンベア装置の運転方法を提供することを目的とするものである。
【０００９】
【課題を解決するための手段】
本発明は前記した従来方法における問題点を解決するためになされたものであって、その要旨とするところは、下記手段にある。
（１）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、前記無端コンベアベルトを駆動する駆動モーターの負荷電流が定格値を超える運転状態となった場合に、コンベアケーシング内で被搬送物に冷風を吹付けて該被搬送物を冷却せしめて前記筒状トラフ内壁面での結露の生成量を抑制し前記駆動モーター電流値が定格値以下の運転状態にする空気浮上式ベルトコンベア装置の運転方法。
（２）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、前記無端コンベアベルトを駆動する駆動モーターの負荷電流が定格値を超える運転状態となった場合に、前記浮上用圧縮空気量を増加せしめると共に、コンベアケーシング内で被搬送物に冷風を吹付けて該被搬送物を冷却せしめて前記筒状トラフ内壁面での結露の生成量を抑制し前記駆動モーター電流値が定格値以下の運転状態にする空気浮上式ベルトコンベア装置の運転方法。
【００１０】
（３）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、前記浮上用圧縮空気量を増加せしめて、前記無端コンベアベルトを駆動する駆動モーターの負荷電流が定格値を超えることなく運転できるようにした空気浮上式ベルトコンベア装置の運転方法。
（４）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、コンベアケーシング内の被搬送物に冷風を吹付けて該被搬送物を冷却して結露生成量を抑制し、前記無端コンベアベルトを駆動する駆動モーターの負荷電流値が定格値を超えることなく運転できるようにした空気浮上式ベルトコンベア装置の運転方法。
（５）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内の湿度およびトラフ鉄皮の温度から筒状トラフ内壁面での結露発生量を求め、該求めた結露発生量が予め設定した無端コンベアベルトを駆動する駆動モーターの負荷電流が定格値を超える結露量以上の値となった場合に、前記浮上用圧縮空気量を増加せしめると共に、コンベアケーシング内の被搬送物に冷風を吹付けて該被搬送物を冷却して結露生成量を抑制し、前記無端コンベアベルトを駆動する駆動モーターの負荷電流が定格値を超えることなく運転できるようにした空気浮上式ベルトコンベア装置の運転方法。
【００１１】
（６）  無端コンベアベルトを内蔵した筒状トラフを有し、該筒状トラフの底部から供給した圧縮空気で前記無端コンベアベルトを浮上させる空気浮上式ベルトコンベアで、搬送中に水蒸気を発生する被搬送物を搬送するに際し、筒状トラフ内における温度および湿度から筒状トラフ内壁面での結露発生状況を予測し、前記無端コンベアベルトを駆動する駆動モーターの負荷電流が定格値を超えること予測された場合、または該駆動モーターの負荷電流が定格値を超える運転状態となった場合に、下記（１）式を満足する様に前記浮上用圧縮空気量（Ｘ）および／または筒状トラフ内壁への結露量（Ｙ）を調整して、前記駆動モーター電流値が定格値以内で運転できるようにした空気浮上式ベルトコンベア装置の運転方法。
ａＸ−ｂＹ−ｃ＞０                          ・・・・・（１）
但し、ａ，ｂ，ｃは定数
【００１２】
【発明の実施の形態】
本発明者らは、このような空気浮上式ベルトコンベアで、例えば、水砕（溶融高炉滓を水で破砕したものであり、通常では平均粒度２ｍｍ、最大粒径５ｍｍ、含有水分１０〜１５％、温度４０〜７０℃を有する）を搬送する際に、水蒸気の発生場所およびその原因について、図２に示した空気浮上式ベルトコンベア装置を用いて調査した。
【００１３】
先ず、図２に示した空気浮上式ベルトコンベア装置の１例につき、その構成について以下説明する。
空気浮上式ベルトコンベア装置は、連接する下流側空気浮上式ベルトコンベア１と上流側空気浮上式ベルトコンベア２とを有し、その乗継部にはシュート３を設けている。この上部（上流側）、下部（下流側）空気浮上式ベルトコンベア２、１には各々、キャリア側の搬送コンベアベルト４を内蔵した筒状上トラフ５と、リタン側の搬送コンベアベルト４を内蔵した筒状下トラフ６を、上下に所定距離離間して設置しており、その両端にヘッドプーリ８とテールプーリ９を設けている。
【００１４】
さらに、上トラフ５及び下トラフ６の下部（底部）には、搬送ベルト浮上用の圧縮空気を供給するために、複数の箇所に給気口１５を設置し、該給気口１５に連接した空気供給管（図示せず）と該空気供給管に連接したブロワー（図示せず）が設けられている。また、上トラフ５及び下トラフ６の上部複数箇所には、供給した空気を排出するための排気口１２が配設されている。なお、１１はシュート部３の排気口である。
また、上部の空気浮上式ベルトコンベア２の上流には、ホッパー（図示せず）に貯蔵した被搬送物を受け入れる受入口（図示せず）が設けられており、下部の空気浮上式ベルトコンベア１には、シュート３を通って落下した被搬送物を受け入れる受入口１４が設けられている。
【００１５】
この様な構造からなる空気浮上式ベルトコンベア装置で、水蒸気を発生する可能性のある被搬送物である水砕を搬送する際に、先ず、水蒸気が上トラフ５の内壁面で結露する場所についての調査を行った。
その結果、シュート３の内部上壁面およびシュート３近傍の上トラフ５内壁面に多く発生しており、上トラフ５の中央部内壁面には殆ど発生していないことが判明した。
【００１６】
次に、その原因について調査した結果、上トラフ５内の搬送ベルト４に載積されて搬送されてきた水砕の表層部においては、上トラフ５の下部給気口１５から吹き込まれたコンベアベルト浮上用空気により冷却されるため、水蒸気の発生には不適当な条件下となっており、水蒸気の発生が起こりずらい状態にあるものと思われる。
しかし、それ以外の部位（中層・下層部）に在る水砕は、表面から冷却されずに温度が高いままの状態（条件が満たされれば何時でも水蒸気が発生する状態）にあり、このような状態で搬送されてきた水砕が、上部の空気浮上式ベルトコンベア２から、下部の空気浮上式ベルトコンベア１へ乗り継ぐために、シュート３内を落下して行くに際して、中・下層部にあった高温の水砕は、下部の空気浮上式ベルトコンベア１の搬送ベルト４上に載積されるまでの間は、シュート３内の雰囲気下に露出された状態となる。
【００１７】
さらには、下部の空気浮上式ベルトコンベア１の搬送ベルト４上に載積される時には、ベルトコンベア２の搬送ベルト４上で表層部に在った水砕と、中・下層部に在った水砕とが混合された状態となって、搬送ベルト４上に堆積されるため、中・下層部に在った高温の水砕が表層部にも堆積される。
水砕が上記したような状態になった場合は、水蒸気を発生する条件が満たされているため、高温の水砕より水蒸気が多量に発生する。このように、水砕がシュート３内を落下中および、下部の空気浮上式ベルトコンベア１の搬送ベルト４上で、水砕の搬送過程においてその表層部が水蒸気を発生しない温度（２０℃以下）に冷却されるまでは、水蒸気の発生が継続する。
【００１８】
このようにして発生した水蒸気は、空気浮上式ベルトコンベア１，２の上トラフ５が外気により冷やされ、上トラフ５内雰囲気温度が低下し水蒸気が過飽和状態で存在となっているため、水蒸気の発生個所およびその近傍の上トラフ５内壁面で結露となる。その発生部位は乗継部から５００ｍ程度の範囲まで及ぶことが判った。
【００１９】
これらのことから、上トラフ５内壁面に結露が発生するのを防止するための対策、さらには、上トラフ５内壁面に結露が発生しても、その結露水が搬送ベルト４と上トラフ５内壁の間隙に流入しないような対策を講ずる必要がある。
しかも、その範囲は、前記のように上トラフ５の全長に渡って行うのが好ましいが、設備費または設置作業上から被搬送物の乗継部、すなわち、シュート３の接続部から５００ｍ程度の範囲に渡って行うことで、大半の結露を防止できることを確認することができた。
【００２０】
本発明者らは、上記知見を基にして、浮上用空気量を変化させ、結露量と浮上用空気量との関係を調査した結果、安定に運転できる条件と不安定な運転（駆動モーター電流値が時折定格値を超える現象が発生する運転）になる条件を見出した。
図１に水砕の搬送を行った場合に、下部の空気浮上式ベルトコンベア１における運転条件を示したが、上トラフ５の内壁面に結露した場合の不安定運転領域と安定運転領域との区分の１例を（Ｙ＝ａＸ＋ｂ）の回帰式で示した。
図の縦軸（Ｙ）は、後述する上トラフ５内結露量（計算値）であり、横軸（Ｘ）は、コンベア単位長さ（１ｍ）当りの浮上空気量である。
【００２１】
上トラフ５内結露量［水（ｋｇ）／乾き空気（ｋｇ）］は、上トラフ５内空気の湿分［水（ｋｇ）／乾き空気（ｋｇ）］―上トラフ５の鉄皮温度における飽和水蒸気量［水（ｋｇ）／乾き空気（ｋｇ）］で表される。
なお、上記図１に示した図中の回帰直線の傾きａおよび切片ｂは、コンベアの長さ、ベルト幅、曲線レイアウトの有無、曲率半径等により変化するが、本例が対象とした空気浮上式ベルトコンベア装置では、ａ＝０．０４１７、ｂ＝−０．０４１７であった。
ここで、図１の回帰直線の上方（左側上方領域）が不安定運転領域であり、下方（右側下方領域）が安定運転領域である。
【００２２】
不安定運転領域（継続して運転は不可能）での運転となった場合に対処する手段としては、以下の手段がある。
すなわち、第１の手段は図１に示す安定運転領域になるまで、浮上用の圧搾空気の量を増大することである。空気量を増すことによりベルト４とトラフ５の内壁との間隙に留まっている結露水は、増量した空気によって吹き飛ばされるため、結露水が筒状トラフとコンベアベルトの間に流入することが抑制され、水蒸気を発生する被搬送物であっても安定して搬送することが可能となる。
また、第２の手段はコンベアケーシング（筒状トラフおよびシュート）内での結露の生成を抑え、その発生量を低下させることである。そのための方法としては、水蒸気を発生する被搬送物である水砕の表面を冷風により冷却し、水蒸気の発生を抑制する方法の採用が挙げられる。
第３の手段は、前記両手段を併用することにある。両手段を併用することでそれぞれ単独で対処するために要する風量を削減できるので、設備的にコンパクトな装備で済む利点がある。
【００２３】
そこで、本発明においては設備的には、図２に示した空気浮上式ベルトコンベア装置に加えて、水蒸気を発生する惧れのある被搬送物を冷却するためにブロアーを設置し、該ブロアーから冷風を送れるよう構成した。
その概略図の１例を図３に示した。すなわち、筒状上トラフ５の上部には冷風を均一に送るためのヘッダー１６が設けられ、該ヘッダー１６から下方に向けてノズル１７が、ベルト搬送コンベアベルト４を横断する形で複数個連設されている。また該ヘッダー１６とブロアー１９の連接配管の適宜個所に流量調節弁１８が設置され、風量を調節することができる。なお図中２０は上トラフ５内に臨ませて設けたセンサーで、上トラフ５内における湿度およびトラフ鉄皮温度を計測する。
なお、圧搾空気を供給する配管が工場内に設置されているような場合には、この圧搾空気を用いることにより、ブロアー１９の設置は必要なくなる。
【００２４】
上述の説明は、前記無端コンベアベルトを駆動する駆動モーターの電流値が定格値を超える運転状態となった場合における対処手段であるが、コンベアケーシング内での被搬送物からの水蒸気の発生による結露の発生が予測できるならば、予め前記対処手段を講じて置き、無端コンベアベルトの駆動モーター電流値が定格値を超えることのない運転状態を維持できるので好ましい。
コンベアケーシング内での結露の発生は、コンベアケーシング内温度において許容できる湿分量（飽和可能量）で決まってくるので、常時湿分量（湿度値）を測定して置き、湿度が過飽和状態となり水滴に変ずる以前に、前記対処手段の何れか一方または両方の処置を講ずるような手段を採用する。
【００２５】
本発明においては予め湿度の管理限界値を定め、その管理限界値以下の値を維持した操業を行うことも目標としている。管理限界値を定めるに当たっては、水滴の発生に至るまでに充分なる余裕を持たすよう考慮すべきである。
これはコンベアケーシング内での温度は場所によって異なっているので、中心部においては高温であっても、その外面が絶えず外気と接触しているコンベアケーシングの内壁面温度は、外気温の影響を受けるためにその温度は中心部に比し低温状態になっている。したがって、飽和蒸気量との関係でコンベアケーシング内壁面において上記管理限界値を超えるような場合には、湿度が過飽和状態となり水滴の発生する可能性が充分考えられる。
【００２６】
これらのことを考慮するならば、コンベアケーシング内での湿度・温度を測定するセンサーの位置を特定し、その位置での測定値とコンベアケーシング内壁面での水滴発生状況との関係を事前に充分把握して置き、管理すべき限界湿度値を定めるのが望ましい。
なお、管理限界湿度値を求めるには、通常用いられている大気温度と飽和蒸気圧の関係から、大気中に許容できる蒸気量を簡単に求めることができるので、その値から管理限界湿度値をいかなる値にするかは容易である。
【００２７】
安定運転領域内での運転を継続するために対処する手段としては、上記した手段を用いる。
すなわち、第１の手段はコンベアケーシング内での特定測定個所における湿度・温度の測定結果に基づき、その値が管理すべき限界湿度値を超える惧れが予測されたならば、コンベアベルト浮上用の圧搾空気の量を限界湿度値に応じて増大させる。
第２の手段はコンベアケーシング内での特定測定個所における湿度・温度の測定結果に基づき、その値が管理すべき限界湿度値を超える惧れが予測されたならば、水砕の表面を管理限界湿度値に応じて冷風により、適宜冷却を施して水蒸気の発生を抑制する。
第３の手段はコンベアケーシング内での特定測定個所における湿度・温度の測定結果に基づき、その値が管理すべき限界湿度値を超える惧れが予測されたならば、前記両手段を併用して対処する。
【００２８】
しかして、不安定運転領域での運転となった場合、または安定運転領域内での運転を継続するために対処する手段を用いるに当たって、これら対処すべき値（量）を数式で表すことができる。
すなわち、筒状トラフ内における温度および湿度から筒状トラフ内壁面での結露発生状況を予測し、前記無端コンベアベルトを駆動する駆動モーターの電流値が定格値を超えること予測された場合、または該駆動モーターの電流値が定格値を超える運転状態となった場合に、下記（１）式を満足する様に前記浮上用圧縮空気量（Ｘ）および／または圧縮空気中の結露量（Ｙ）を調整して、前記駆動モーター電流値が定格値以内で運転できるようにするものである。
ａＸ−ｂＹ−ｃ＞０                          ・・・・・（１）
但し、ａ，ｂ，ｃは定数
上記（１）式における定数（ａ，ｂ，ｃ）は、筒状トラフ内の無端コンベアベルトの形状、材質、搬送能力、筒状トラフと無端コンベアベルトの間隔等によって決まる値である。
【００２９】
前記手段の何れを採用するかは、手段の差異によってもたらす効果を考慮した上で、経済的な面からの検討を加味し、最終的にはどの手段を採用すば低廉なコストで実施することができるかの判断を行い決めるべきである。
【００３０】
【実施例】
以下、本発明について水砕の搬送を行った場合の実施例に基づき、その効果を説明する。
実施例に使用した装置は図５に示した空気浮上式ベルトコンベアで、下流側空気浮上式ベルトコンベアの筒状上トラフの内径は０．６ｍあり、冷風吹付け用ノズルは上流側空気浮上式ベルトコンベアからの水砕乗り継ぎ部から２ｍ離れた位置に配設されている。また、湿度・温度を計測するセンサーの取付け位置は、ノズル配設個所から３０ｍ離し、かつ筒状上トラフの上部から内部に２０ｍｍ垂下した位置に設置されている。また上トラフの鉄皮温度を測定センサーの取付け位置も同様に上トラフ内側鉄皮に埋め込まれている。
【００３１】
（実施例１）
筒状上トラフ内における湿度６５％、温度２５℃および上トラフ鉄皮表面温度３２℃であり、安定した無端コンベアベルトの駆動モーターの運転（定格値以下の負荷電流）を行っていたが、外気温が低下し、上トラフ内温度１７℃、上トラフ鉄皮表面温度が１３℃まで低下したため、湿度は９９％に上昇し、上トラフ内壁への結露量は０．００３０［ｋｇ−水／ｋｇ−ＤｒｙＡｉｒ］に達し、前記駆動モーターの負荷電流が定格値（８アンペア）を越える不安定な状態での運転となった。
【００３２】
そこで、通常、使用していない１０℃の冷風をバルブ１８を開調整してノズル１７から５０［ｍ３／ｍｉｎ］噴出させて、水砕表面を冷却して水蒸気の発生を抑制した結果、結露量計算値は−０．００１［ｋｇ−水／ｋｇ−ＤｒｙＡｉｒ］まで低下し、前記駆動モーターの負荷電流は定格値を越えることのない、安定した運転状態になった。
【００３３】
（実施例２）
筒状上トラフ内における湿度７２％，温度４１℃および上トラフ鉄皮表面温度４０℃であり、安定した無端コンベアベルトの駆動モーターの運転（定格値以下の負荷電流）を行っていたが、外気温が低下し、上トラフ内温度２５℃，上トラフ鉄皮表面温度が２８℃まで低下したため、湿度は９４％に上昇し、上トラフ内壁への結露量は０．００１０［ｋｇ−水／ｋｇ−ＤｒｙＡｉｒ］に達し、前記駆動モーターの負荷電流が定格値（ヘッドプーリー側８アンペア、テールプーリー側８０アンペア）を越える不安定な状態での運転となったので、今迄吹き込んでいたベルト浮上用空気量を１．１５［ｍ３／ｍｉｎ／ｍ］を０．０５［ｍ３／ｍｉｎ／ｍ］増加して、使用上限の１．２［ｍ３／ｍｉｎ／ｍ］とし、さらに、これでも不足するために、通常は使用していない１０℃の冷風をバルブ１８を開調整して、ノズル１７から１０［ｍ３／ｍｉｎ］噴出させて、無端コンベアベルト上の水砕表面を冷却して水蒸気の発生を抑制した結果、結露量計算値は−０．００１［ｋｇ−水／ｋｇ−ＤｒｙＡｉｒ］まで低下し、前記駆動モーターの負荷電流は定格値を越えることなく、安定した運転状態になった。
【００３４】
（実施例３）
筒状上トラフ内における湿度７３％，温度２５℃および上トラフ鉄皮表面温度３１℃であり、安定した無端コンベアベルトの駆動モーターの運転（定格値以下の負荷電流）を行っていたが、外気温が低下し、上トラフ内温度１２℃，上トラフ鉄皮表面温度が１１℃まで低下したため、湿度は９９％に上昇し、上トラフ内壁への結露量は０．００１０［ｋｇ−水／ｋｇ−ＤｒｙＡｉｒ］に達し、予め求めて設定した前記駆動モーターの負荷電流が定格値（８アンペア）を越える不安定な状態での運転となる管理結露量と同等となると推測できたので、今迄吹き込んでいたベルト浮上用空気量を１．０［ｍ３／ｍｉｎ／ｍ］から０．１［ｍ３／ｍｉｎ／ｍ］増加して１．１［ｍ３／ｍｉｎ／ｍ］とした結果、前記結露量は設定値以下となり、駆動モーターは定格負荷電流以下で、安定した運転状態を継続できた。
【００３５】
（実施例４）
筒状上トラフ内における湿度６１％、温度２８℃および上トラフ鉄皮表面温度３２℃であり、安定した無端コンベアベルトの駆動モーターの運転（定格値以下の負荷電流）を行っていたが、外気温が低下し、上トラフ内温度１８℃、上トラフ鉄皮表面温度が１３℃まで低下したため、湿度は９９％に上昇し、上トラフ内壁への結露量は０．００３３［ｋｇ−水／ｋｇ−ＤｒｙＡｉｒ］となり、予め求めて設定した前記駆動モーターの負荷電流が定格値（８アンペア）を越える不安定な状態での運転となる管理結露量（０．０３０）以上となったので、通常、使用していない１０℃の冷風をバルブ１８を開調整してノズル１７から５０［ｍ３／ｍｉｎ］噴出させて、水砕表面を冷却して水蒸気の発生を抑制した。しかし、前記駆動モーターの負荷電流が定格値（８アンペア）を越える不安定な状態が継続していたので、さらに冷風を５０［ｍ３／ｍｉｎ］増加して１００［ｍ３／ｍｉｎ］とした結果、前記駆動モーターの負荷電流は定格値を越えることのない、安定した運転状態となった。
【００３６】
【発明の効果】
本発明は、空気浮上式ベルトコンベア装置により搬送中に水蒸気を発生するような被搬送物を搬送するに際して、コンベアケーシング内壁面に結露が発生することを事前に予測し、コンベアケーシング内壁面に結露が発生しないような処置を講ずるか、またはコンベアケーシング内壁面に結露が発生したとしても、その結露量に見合った浮上用空気量を供給することにより、ベルトとトラフ内壁の間隙から結露水を吹き飛ばすことで、その結露水が筒状トラフとコンベアベルトの間に流入することを極力抑えるか、および／または、コンベアケーシング内での水蒸気の発生を抑制させるために、被搬送物の表面を冷風により冷却することにより、水蒸気を発生する被搬送物を安定して搬送することが可能となり、この分野における効果は大きい。
【図面の簡単な説明】
【図１】コンベアベルトの浮上用空気量／コンベアケーシング内結露量と安定運転条件との関係を示す図
【図２】空気浮上式ベルトコンベア装置の断面概略を示した図
【図３】冷風吹付け装置を具備した空気浮上式ベルトコンベア装置の断面概略を示した図
【図４】不安定な運転状態での駆動モータの電流値の変化状況示す図
【図５】安定な運転状態での駆動モータの電流値の変化状況示す図
【符号の説明】
１：下流側空気浮上式ベルトコンベア
２：上流側空気浮上式ベルトコンベア
３：シュート
４：搬送ベルト
５：上トラフ
６：下トラフ
８：ヘッドプーリ
９：テールプーリ
１１，１２：排気口
１４：受入口
１５：給気口
１６：ヘッダー
１７：ノズル
１８：流量調節弁
１９：ブロアー
２０：センサー
【図１】
0003742755.tif 000002
【図２】
0003742755.tif 000003
【図３】
0003742755.tif 000004
【図４】
0003742755.tif 000005
【図５】
0003742755.tif 000006